(57)【特許請求の範囲】
【請求項１】
機器を支柱に取付るための取付具において，
前記支柱の軸方向に対して直交する方向に開口部を備える箱状の基体と，
該基体の上下壁部の開口端略中央部に配置されて，前記支柱の外周面に当接される一対の当接部と，
該基体の左右壁部に配置されて，締付帯を貫通するための前記支柱の軸方向に長辺を有する一対の縦長挿通孔と，
前記基体の内部に配置されて，前記縦長挿通孔の前記開口部から遠い側に位置する左右の長辺の内周面を結ぶ略線上となるように，少なくとも両端部が前記基体の左右壁部と固着された導入部材と，
前記縦長挿通孔に挿通され，前記支柱に締付け固定される締付帯と，
を具備しており，
前記機器の背面には，前記機器を当該取付具に取り付けるための取付金具として，前記機器の背面に対して垂直な部分であって前記基体の上壁部に載置される載置部分と，該載置部分の先端から下方に直角に伸びた板状の折返片と，を有した取付金具が備えられており，
当該取付具の前記基体の上壁部において，前記導入部材が真下に存在する位置よりも前記開口部側とは反対側の所定位置には，前記取付金具の前記載置部分が当該上壁部に載置された状態で前記取付金具の前記折返片が挿通される長孔が形成されており，
更に，当該取付具の前記基体の上壁部において，前記長孔よりも前記開口部側とは反対側の所定位置には，前記取付金具の前記載置部分に形成された挿通孔を貫通するネジ棒が螺合されるネジ孔が形成されていること，
を特徴とする機器の取付具。
【請求項２】
機器を支柱に取付るための取付具であって，
請求項１に記載の取付具を，第１取付具として備えると共に，
前記第１取付具とは別の第２取付具として，請求項１に記載の基体，一対の当接部，一対の縦長挿通孔，導入部材，及び締付帯を具備した第２取付具を備えており，
更に，前記第１取付具を上側にし，前記第２取付具を下側にして，その第１取付具と第２取付具を，前記支柱の軸方向に相互に並行に，且つ，所定間隔をあけて連結する連結部材を備え，
前記機器の背面の上部には，当該機器を前記第１取付具に取り付けるための上部取付金具として，請求項１に記載の取付金具が備えられており，
前記機器の背面の下部には，当該機器を前記第２取付部に取り付けるための下部取付金具として，当該機器より下方向に突設されて，前記第２取付具における前記基体の前記開口部側とは反対側の面である底面に接する板状の突設片を有した下部取付金具が備えられており，
しかも，前記第２取付具における前記基体の前記底面には，前記突設片に形成された挿通孔を貫通するネジ棒が螺合されるネジ孔が形成されていること，
を特徴とする機器の取付具。
【発明の詳細な説明】
【技術分野】
【０００１】
本発明は，機器を支柱に取付けるための取付具に関する。
【背景技術】
【０００２】
従来，取付け対象である支柱外形の大小に拘らず，機器を簡単且つ確実に取付けるためにはバンド体，所謂自在バンドやステンレスバンドを用いて支柱に挟着する方法が提案されている。例えば，背面部に凹条部，両側面に一対の挿通孔の設けられた本体と，この本体の凹条部に取付けられ，支柱押え部材及びナットと共に前記本体の前部において支柱に締付け固定されるコ字状のボルトと，前記本体の挿通孔に挿通され，フックボルトと共に支柱に締付け固定される自在バンドとを具備し，支柱の外形に拘らず簡単且つ確実に取付けることができるのである。
（例えば，特許文献１参照）
【０００３】
【特許文献１】実公昭６３−５３０７号公報
【発明の開示】
【発明が解決しようとする課題】
【０００４】
しかし，こうした従来の取付方法では，前記本体の両側面に設けられた挿通孔にバンド体を挿通することがやり難い状態にあった。即ち，バンド体の先端部を一方の挿通孔に挿通するものの，引き続きその先端分を他方の挿通孔に挿通しようとすると，バンド体の先端部が，支柱や前記本体の周囲の側壁に囲まれた状態になっていて視認し難い状態になり，他方の挿通孔への挿通がやり難いのである。
また，従来例のように小型の機器を取付ける場合にはバンド体は余り強度が必要ないため，バンド体の取扱いは容易で，バンド体の挿通孔に対する挿入操作の困難性は然程ではないとしても，支柱に設置する機器が大きかったり重かったりする場合では，バンド体の強度を強くする事が求めら，バンド体の取扱いは更に困難に成ることとなる。また場合によっては，取付具を２つ使って，その機器の上部と下部とを支柱に固定することになるので，取付時間がかかり設置作業も面倒になるという問題があった。
そこで本願においては，こうした問題点を解決するためになされたものであり，
その目的は，簡単且つ確実に機器を取付けることができる取付具を提供する事にある。
他の目的は，重くて大きい機器を取付けるための取付具を提供する事にある。
他の目的は，小型であっても取付性のよい機器を取付けるための取付具を提供する事に有る
【課題を解決するための手段】
【０００５】
上記課題を解決するために，請求項１の発明は，機器を支柱に取付るための取付具において，前記支柱の軸方向に対して直交する方向に開口部を備える箱状の基体と，該基体の上下壁部の開口端略中央部に配置されて，前記支柱の外周面に当接される一対の当接部と，該基体の左右壁部に配置されて，締付帯を貫通するための前記支柱の軸方向に長辺を有する一対の縦長挿通孔と，前記基体の内部に配置されて，前記縦長挿通孔の前記開口部から遠い側に位置する左右の長辺の内周面を結ぶ略線上となるように，少なくとも両端部が前記基体の左右壁部と固着された導入部材と，前記縦長挿通孔に挿通され，前記支柱に締付け固定される締付帯と，を具備している。
そして，前記機器の背面には，前記機器を当該取付具に取り付けるための取付金具として，前記機器の背面に対して垂直な部分であって前記基体の上壁部に載置される載置部分と，該載置部分の先端から下方に直角に伸びた板状の折返片と，を有した取付金具が備えられており，
当該取付具の前記基体の上壁部において，前記導入部材が真下に存在する位置よりも前記開口部側とは反対側の所定位置には，前記取付金具の前記載置部分が当該上壁部に載置された状態で前記取付金具の前記折返片が挿通される長孔が形成されており，
更に，当該取付具の前記基体の上壁部において，前記長孔よりも前記開口部側とは反対側の所定位置には，前記取付金具の前記載置部分に形成された挿通孔を貫通するネジ棒が螺合されるネジ孔が形成されている。
【０００６】
請求項２の発明は，機器を支柱に取付るための取付具であって，
請求項１に記載の取付具を，第１取付具として備えると共に，
前記第１取付具とは別の第２取付具として，請求項１に記載の基体，一対の当接部，一対の縦長挿通孔，導入部材，及び締付帯を具備した第２取付具を備えており，
更に，前記第１取付具を上側にし，前記第２取付具を下側にして，その第１取付具と第２取付具を，前記支柱の軸方向に相互に並行に，且つ，所定間隔をあけて連結する連結部材を備え，
前記機器の背面の上部には，当該機器を前記第１取付具に取り付けるための上部取付金具として，請求項１に記載の取付金具が備えられており，
前記機器の背面の下部には，当該機器を前記第２取付部に取り付けるための下部取付金具として，当該機器より下方向に突設されて，前記第２取付具における前記基体の前記開口部側とは反対側の面である底面に接する板状の突設片を有した下部取付金具が備えられており，
しかも，前記第２取付具における前記基体の前記底面には，前記突設片に形成された挿通孔を貫通するネジ棒が螺合されるネジ孔が形成されていること，を特徴とする。
【発明の効果】
【０００７】
請求項１の発明によれば，締付帯が湾曲したような変形を伴っていても，導入部材に導かれるように締付帯の先端部を挿入することによって，簡単且つ確実に縦長挿通孔を貫通することができる。よって，支柱への取付性に優れる。
更に加えて，導入部材によって，締付帯の挿通空間と，導入部材より奥方向の空間とを分離させることによって，締付帯は挿通空間を略直線状に貫通されることとなり，締付帯の変形によって，前記空間内に締付帯が侵入する事が無く，前記空間は機器を取付ける為の部材が収納できる最小寸法にすることができ，この結果，外形の小さな取付具を提供できる。
その上，機器の背面に備えられた取付金具の折返片を，取付具の基体の上壁部に形成されている長孔に挿入すれば，取付金具の載置部分が取付具の基体の上壁部に載置された状態であって，機器を取付具に引掛け係止して仮載置した状態にすることができる。そして，その状態で，取付金具の載置部分の上方から，ネジ棒を，その載置部分に形成された挿通孔を介して，取付具の基体の上壁部に形成されたネジ孔に螺合することにより，機器と取付具とを固定することができる。
【０００８】
請求項２の発明によれば，請求項１に記載の取付具である第１取付具を上側にし，第２取付具を下側にして，その第１取付具と第２取付具を，支柱の軸方向に相互に並行に，且つ，所定間隔をあけて連結する連結部材を備えるように構成したため，大型で質量の大きい機器を取付けるための２つの取付具を，支柱に取り付ける前の状態であっても正確な相互配置に連結しておくことができ，その連結状態にて，支柱に取付けることができる。
尚，機器と第１取付具との固定方法は，請求項１の取付具の場合と同じである。
即ち，機器の背面の上部には，当該機器を第１取付具に取り付けるための上部取付金具として，請求項１に記載の取付金具が備えられているため，その上部取付金具の折返片を第１取付具の基体の上壁部に形成されている長孔に挿入することにより，該機器を第１取付具に引掛け係止して仮載置することができる。そして，その状態で，上部取付金具の載置部分の上方から，ネジ棒を，その載置部分に形成された挿通孔を介して，第１取付具の基体の上壁部に形成されたネジ孔に螺合することにより，機器と第１取付具とを固定することができる。
また，機器と第２取付具との固定方法は，下記の通りである。
まず，機器の背面の下部には，当該機器を第２取付部に取り付けるための下部取付金具として，当該機器より下方向に突設されて，第２取付具における基体の開口部側とは反対側の面である底面に接する板状の突設片を有した下部取付金具が備えられている。このため，機器より下方向に突設された突設片が，第２取付具の基体の底面に当接した状態となるので，機器の前方からネジ棒を，突設片に形成された挿通孔を介して，第２取付具の基体の底面に形成されたネジ孔に螺合することにより，機器と第２取付具とを固定することができる。
また，このとき，第１取付具と第２取付具は，連結部材によって並行かつ所定間隔だけ離れて配置でき，具体的には，機器の上部取付金具側の挿通孔（載置部分の挿通孔）と第１取付具側のネジ孔との位置，及び，機器の下部取付金具側の挿通孔（突設片の挿通孔）と第２取付具側のネジ孔との位置が前記仮載置の段階で夫々合致するように予め配置できるので，夫々の孔の位置あわせをせずともネジ止ができるようになる。
【発明を実施するための最良の形態】
【０００９】
以下に，本発明を具体化した実施形態の例を，図面を基に詳細に説明する。
図１（ａ）は本発明に係る取付具の基体の実施形態を示す概略斜視図であり，（ｂ）はＡ−Ａ線断面図である。図２は本発明に係る取付具を２つ使った場合の概略斜視図である。図３は本発明の取付具に電子機器を取付けたときの側面図である。図４（ａ），（ｂ）は図２におけるＢ−Ｂ線断面図であり，取付具に締付帯を挿入するときの状態を示す。（ｃ）は導入部材がないときの挿入状態を示す。
【実施例１】
【００１０】
図１は本発明の取付具の斜視図（締付帯は図示されていない。）であり，この図において１が取付具である。本発明の取付具１は締付帯と基体３とから構成されている。この基体３は金属材料を折り曲げ加工して，左右方向（以下，方向を示す場合，特に明示しない限り図１（ａ）の斜視図の状態にある時を基準とする。）に長い開口部５を有するように箱状に形成されている。尚，上下左右の壁部は折り曲げ加工したままの状態のままでも良いし，溶接等の手段によって相互に固着してもよい。
この基体３における上下壁部１０・１０の夫々の略中央先端部には，この取付具１の取付け対象である，図には示されていない支柱の外周面に当接する当接部１１・１１が形成されている。更に基体３の左右壁部１５・１５には締付帯を貫通するための挿通孔１６・１６が形成されている。この挿通孔１６・１６は，前記支柱の軸方向に長辺を有する縦長に形成されており，その寸法は，上下壁部内部間の寸法より小さく，締付帯を挿通自在とする大きさに形成されている。
【００１１】
次に前記基体３の内部には，前記縦長挿通孔１６・１６の前記開口部５から遠い側に位置する左右の長辺の内周面１６ａ・１６ａを結ぶ略線上となる位置に，少なくとも両端部２０ａ・２０ａ（一方は図に示されていない）が前記基体３の左右壁部１５・１５の内面において，例えば溶接や接着剤等の固着方法によって固着された導入部材２０が備えられている。本発明の実施例における導入部材２０は，金属材料の薄板材を，幅が前記基体３の内径の左右方向寸法より僅かに小さい板体に形成されており，該板体の前面と，縦長挿通孔１６・１６の前記内周面１６ａ・１６ａと，が略同一平面上となるように基体３内部に固着されている。
【００１２】
図２は本発明の取付具を上下に２つ使用する場合の実施例であり，支柱４に締付帯２で取付けた状態を示す概略斜視図である。この図において２は周知の締付帯であり，前記縦長挿通孔１６に挿通させて支柱４に巻き回し基体１を固着している。９は上下に備えた基体１・１を並行且つ所定間隔離して配置するための連結部材であり，本発明の実施例では金属部材を折り曲げ加工したものである。尚，締付帯２は自在バンド又はステンレスバンドなどである。
【００１３】
ここで本発明に係る取付具を使用して機器を取付けた実施例を図２，図３を用いて説明する。まず，本発明の取付具１ａ・１ｂは，電子機器５０の取付性をよくするために，該機器５０を取付ける前に予め支柱４に取付ける。つまり，電子機器５０は例えばＢＳデジタル放送を受信し，当該受信信号からアナログテレビ放送のテレビ放送信号として出力するヘッドエンドに代表されるようなテレビ共同受信システムに用いる機器であり，このような機器は，受信点として山の上などに備えられた支柱に設置することもあり，その設置工事はできる限り簡単であることが望ましく，このため取付具をまず支柱に取付け，その後で電子機器５０を引き上げて取付具に固定する方法が取られるためである。
【００１４】
そこで，この電子機器５０の背面上部と背面下部には，前記取付具に取付ける為の上部取付金具５１と下部取付金具５２が備えられており，上部取付金具５１の上端部には，取付具１ａの基体３ａの上壁部１０に形成された長孔３１，３１に挿通させる折返片５１ａ・５１ａ（一方は図示されていない）が形成されており，まず，該折返片を長孔３１・３１に挿入することによって，取付具１ａに電子機器５０を引掛け係止して仮載置し，その状態で，上部取付金具５１上方からネジ棒３２ａ・３２ａを，上部取付金具５１に形成された図には示されない挿通孔を介してネジ孔３２・３２に螺合することによって電子機器５０と取付具１ａとを固定する。
次に，電子機器５０の下部取付金具５２は，該機器より下方向に突設した突設片５２ａが，取付具１ｂの基体３ｂの底面と当接した状態にあるので，電子機器５０の前方からネジ棒３４ａ・３４ａを，前記突設片５２ａに形成された図には示されていない挿通孔を介して取付具１ｂの基体３ｂに形成されたネジ孔３４・３４に対し螺合することによって，電子機器は取付具１に対し強固に取付ができるのである。
このとき取付具１ａと取付具１ｂは連結部材９によって並行かつ所定間隔だけ離れて配置（即ち，電子機器の取付金具に正対する位置に）されているので，上部取付金具５１に形成された挿通孔とネジ孔３２・３２，下部取付金具５２に形成された挿通孔と，ネジ孔３４・３４の中心は合致していることになり，夫々の孔の位置あわせをせずともネジ止ができるのである。
【００１５】
ここで，本発明にかかる取付具１の取付方法の詳細を図４を用いて説明する。図４は図２に示されるＢ−Ｂ線断面図である。まず，図４（ｃ）に示されるように，導入部材がない場合を考えると，締付帯の先端部が一方の挿通孔１６から挿通され，他方の挿通孔１６に達すると，締付帯２の形状によっては先端部が側壁部１５の内面に当接してしまい，他方の挿付孔１６を挿通するために挿通孔１６を探る必要が生じ，それによって取付作業の効率が悪くなるのである。特に本発明の実施例のような，電子機器５０がテレビ共同受信システムにおけるヘッドエンドであれば，その設置場所は，山間部などの人が入り難い場所で，且つ，支柱の高所であることが多く，その設置作業を少しでも容易とすることが望まれるのである。
【００１６】
そこで，本発明においては，図４（ａ），（ｂ）に良く示されるように，導入部材２０を備えさせることによって，締付帯２の先端部が導入部材２０によって基体３の奥部に侵入する事が無くなるのである。また，導入部材２０の取付位置は，縦長挿通孔１６の左右の長辺１６ａの内周面がなす平面上に配置されることから，締付帯２が変形を伴っていてもその先端部が導入部材２０に導かれるように挿入すれば，その先端部は他方の挿通孔１６を探ることなく容易に挿通し得るのである。
【００１７】
更に，導入部材２０を備えさせたことによって，導入部材２０と基体３の底面との間に空間８が生じることになる。この空間８は，取付具１に電子機器５０を取付けたときに，上部取付金部５１に形成した折返片５１ａや，ネジ棒３２ａ，３４ａの先端部の収納空間になる。即ち，締付帯２を締付け固定したときに，締付帯２は支柱４と基体３とを挟着して取付けられのであるが，このとき締付帯２は支柱４に接する部分においては支柱２の外周面に沿うように曲げられた状態になり，基体３においては，挿通孔の長辺１６ａ・１６ａの外面のエッジ部分で内側に曲げられ，このエッジ部分に力が加わった状態で締付けられる場合が考えられる。その状態で締付が完了したときの，基体３の内部における締付帯２の状態を考えるときに，前記導入部材２０が無い場合，締付帯２の締付による変形状態によっては，該締付帯２が基体３の底面方向に膨らむ場合が考えられる。仮にこのような状態で締付が完了したならば，続いて行なわれる電子機器５０の取付において，上述のような基体３内部の空間８に収納される折返片５１ａや，ネジ棒３２ａ，３４ａの先端部が，万が一にも締付帯２に邪魔されないように，空間８の奥行方向の寸法を長くして充分な余裕を持たせることが必要となり，この結果，基体３の寸法を大きくする必要が生じるのである。
【００１８】
しかしながら本発明の取付具１は，導入部材２０によって，締付帯２の挿通空間と，折返片５１ａや，ネジ棒３２ａ，３４ａの先端部が収納される空間８とを分離させることによって，締付帯２は，挿通孔１６・１６と導入部材２０によって，略直線状に基体に貫通され，締付帯２の締付により，該締付帯２が基体３の底面方向に膨らむような力が加わったとしても，その力を導入部材２０が阻止することになる。このことは，前記折返片５１ａや，ネジ棒３２ａ，３４ａの大きさが，導入部材２０が無いときと同じ大きさであったとしても，空間８内に締付帯２が侵入する事が無いので，空間８は前記折返片５１ａや，ネジ棒３２ａ，３４ａが収納される最小寸法にすることができ，この結果，基体３の寸法を小さくできるのである。
【００１９】
以上，本発明の取付具１によれば，基体３内部に導入部材２０を備えさせることによって，締付帯２が変形を伴っていても，導入部材２０に導かれるように締付帯２の先端部を挿入することができ，簡単且つ確実に挿通孔１６・１６を貫通することができ，取付具１は取付性に優れたものとなるのである。
更に加えて，導入部材２０によって，締付帯２の挿通空間と，折返片５１ａや，ネジ棒３２ａ，３４ａの先端部が収納される空間８とを分離させることによって，締付帯２は，挿通孔１６・１６と導入部材２０によって，略直線状に基体に貫通され，空間内に締付帯２が侵入する事が無いので，空間８は前記折返片５１ａや，ネジ棒３２ａ，３４ａが収納できる最小寸法にすることができ，この結果，基体３の寸法を小さくできるのである。
尚，本発明は上記実施の形態に限定されるものではなく，本発明の構成を適宜に変更して実施することも可能である。
【図面の簡単な説明】
【００２０】
【図１】（ａ）は本発明に係る取付具の基体の実施形態を示す概略斜視図であり，（ｂ）はＡ−Ａ線断面図である。
【図２】本発明に係る取付具を２つ使った場合の概略斜視図である。
【図３】本発明の取付具に電子機器を取付けたときの側面図である。
【図４】（ａ），（ｂ）は図２におけるＢ−Ｂ線断面図であり，取付具に締付帯を挿入するときの状態を示す。（ｃ）は導入部材がないときの挿入状態を示す。
【符号の説明】
【００２１】
１…取付具，２…締付帯，３…基体，４…支柱，５…開口部，８…空間，９…連結部材，１０…上壁部（下壁部），１１…当接部，１５…右壁部（左壁部），１６…縦長挿通孔，１６ａ…長辺，２０…導入部材，２０ａ…両端部，３１…長孔，３２…ネジ孔，３２ａ…ネジ棒，３３…，３４…ネジ孔，３４ａ…ネジ棒，５０…機器，５１…上部取付金具，５１ａ…折返片，５２…下部取付金具，５２ａ…突設片。
【図１】
0004681442.tif 000002
【図２】
0004681442.tif 000003
【図３】
0004681442.tif 000004
【図４】
0004681442.tif 000005